(57)【要約】【課題】本発明は、背凭れが支持構造体に支持されている椅子において、背凭れから入力される荷重を支持構造体と背凭れとの連結部位において堅牢に支持することのできる椅子を提供する。【解決手段】本発明の椅子は、着座者の背中を受ける背凭れと、背凭れを支持する支持構造体とを備える椅子において、背凭れは、支持構造体に支持される背凭れ支持フレームと、背凭れ支持フレームに支持され、着座者の背中を受ける背凭れ面を形成する背当部材と、を備えてなり、背凭れ支持フレームは、上下方向に延びる第１のフレーム部材と、椅子の前後方向において前後方向のいずれか一方に位置する第２のフレーム部材と、を備え、第１のフレーム部材および第２のフレーム部材は、それぞれの下端部が支持構造体に支持されているとともに、各下端部よりも上方において第２のフレーム部材の少なくとも一部が第１のフレーム部材に固定されていることを特徴とする。【選択図】図１
2020130964.tif 000002
【特許請求の範囲】
【請求項１】
着座者の背中を受ける背凭れと、前記背凭れを支持する支持構造体と、を備える椅子において、
前記背凭れは、前記支持構造体に支持される背凭れ支持フレームと、   
前記背凭れ支持フレームに支持され、前記着座者の前記背中を受ける背凭れ面を形成する背当部材と、を備えてなり、
前記背凭れ支持フレームは、上下方向に延びる第１のフレーム部材と、前記椅子の前後方向において前後方向のいずれか一方に位置する第２のフレーム部材と、を備え、
前記第１のフレーム部材および前記第２のフレーム部材は、それぞれの下端部が前記支持構造体に支持されているとともに、各下端部よりも上方において前記第２のフレーム部材の少なくとも一部が前記第１のフレーム部材に固定されていることを特徴とする椅子。
【請求項２】
前記第１のフレーム部材および前記第２のフレーム部材のうち少なくとも一方が前記前後方向に傾斜して延びており、
下端部から上方に向かうにしたがって互いに近づくように、第１のフレーム部材および第２のフレーム部材のうちの少なくとも一方が前後方向に傾斜している
請求項１に記載の椅子。
【請求項３】
前記第１のフレーム部材および前記第２のフレーム部材は、それぞれの前記下端部が前記前後方向で互いに離間し、前記支持構造体の前後異なる位置に支持されているとともに、離間した各下端部の間に形成される空間よりも上方において、前記第２のフレーム部材の少なくとも一部が前記第１のフレーム部材に固定されている、
請求項１または２に記載の椅子。
【請求項４】
前記空間よりも上方において、
前記第２のフレーム部材は、前記第１のフレーム部材と隣り合うとともに当該第１のフレーム部材の長手方向に沿って延在する延在部を有し、前記延在部の少なくとも一部が前記第１のフレーム部材に固定されている、
請求項３記載の椅子。
【請求項５】
前記支持構造体は、前記椅子の幅方向に離間する一対の脚体と、
離間した一対の前記脚体どうしを前記幅方向に連結する連結部材と、を備え、
各脚体は、前記第１のフレーム部材の前記下端部を支持する前脚と、前記第２のフレーム部材の前記下端部を支持する後脚と、を有しており、
前記幅方向における前記連結部材の両端部が前記空間内にそれぞれ位置している、
請求項３または４に記載の椅子。
【請求項６】
前記脚体は、前記第１のフレーム部材および前記第２のフレーム部材の各下端部をそれぞれ支持する一対の被支持部を有している、
請求項４に記載の椅子。
【請求項７】
前記第２のフレーム部材は、前記第１のフレーム部材よりも前記椅子の幅方向内側に位置している、
請求項１から６のいずれか一項に記載の椅子。
【発明の詳細な説明】
【技術分野】
【０００１】
本発明は、椅子に関するものである。
【背景技術】
【０００２】
従来より、劇場やホール、スタジアム等に設置される椅子において、座が上方へ回動する椅子が知られている。このような技術分野に属するものとして、例えば、下記特許文献１に開示される椅子の背凭れが公知である。
特許文献１では、脚体に短軸を介して背杆が設けられており、この背杆に背凭れが支持された構成の椅子が開示されている。
【先行技術文献】
【特許文献】
【０００３】
【特許文献１】特開２００１−１２８７７５号公報
【発明の概要】
【発明が解決しようとする課題】
【０００４】
特許文献１に記載の椅子においては、脚体に対して短軸が支持される部位が、短軸が連結される後脚の上端部のみとなっている。このため、着座者の背中から受ける荷重がこの部位に集中しやすく、強度上の不安材料があるといえる。
【０００５】
本発明の一つの態様は、上記従来技術の問題点に鑑み成されたものであって、背凭れが支持構造体に支持されている椅子において、背凭れから入力される荷重を、支持構造体と背凭れとの連結部位において堅牢に支持することのできる椅子を提供することを目的とする。
【課題を解決するための手段】
【０００６】
本発明の一態様の椅子は、着座者の背中を受ける背凭れと、前記背凭れを支持する支持構造体と、を備える椅子において、前記背凭れは、前記支持構造体に支持される背凭れ支持フレームと、前記背凭れ支持フレームに支持され、前記着座者の前記背中を受ける背凭れ面を形成する背当部材と、を備えてなり、前記背凭れ支持フレームは、上下方向に延びる第１のフレーム部材と、前記椅子の前後方向において前後方向のいずれか一方に位置する第２のフレーム部材と、を備え、前記第１のフレーム部材および前記第２のフレーム部材は、それぞれの下端部が前記支持構造体に支持されているとともに、各下端部よりも上方において前記第２のフレーム部材の少なくとも一部が前記第１のフレーム部材に固定されていることを特徴とする。
【０００７】
この構成によれば、背凭れが第１のフレーム部材と当該第１のフレーム部材よりも前後方向のいずれか一方に位置する第２のフレーム部材とによって構成されているので、第２のフレーム部材が第１のフレーム部材をサポートすることで、背凭れにかかる荷重に対して十分な支持強度を確保できる。
【０００８】
本発明の一態様における椅子において、前記第１のフレーム部材および前記第２のフレーム部材のうち少なくとも一方が前記前後方向に傾斜して延びており、下端部から上方に向かうにしたがって互いに近づくように、第１のフレーム部材および第２のフレーム部材のうちの少なくとも一方が前後方向に傾斜している構成としてもよい。
【０００９】
この構成によれば、背凭れを構成する第１のフレーム部材および第２のフレーム部材のうち少なくともいずれか一方が椅子の前後方向に傾斜しているので、第１のフレーム部材に対して第２のフレーム部材が補助的な支持部材となり、第２のフレーム部材の軸方向の力によって第１のフレーム部材を突っ張るように支持することで、より堅牢な背凭れを得ることができる。
【００１０】
本発明の一態様における椅子において、前記第１のフレーム部材および前記第２のフレーム部材は、それぞれの前記下端部が前記前後方向で互いに離間し、前記支持構造体の前後異なる位置に支持されているとともに、離間した各下端部の間に形成される空間よりも上方において、前記第２のフレーム部材の少なくとも一部が前記第１のフレーム部材に固定されている構成としてもよい。
【００１１】
この構成によれば、第１のフレーム部材および第２のフレーム部材のそれぞれの下端部が支持構造体の前後異なる位置に支持されているので、背凭れにかかる着座者の背中からの荷重に起因する支持構造体への負荷が一か所に集中することなく前後方向に分散されるようになり、支持構造体によってより堅牢に背凭れを支持することができる。
【００１２】
本発明の一態様における椅子において、前記空間よりも上方において、前記第２のフレーム部材は、前記第１のフレーム部材と隣り合うとともに当該第１のフレーム部材の長手方向に沿って延在する延在部を有し、前記延在部の少なくとも一部が前記第１のフレーム部材に固定されている構成としてもよい。
【００１３】
この構成によれば、第１のフレーム部材の長手方向に沿って第２のフレーム部材の一部が延在しているので、この延在した部分によって第１のフレーム部材を面で支えることができ、背凭れの堅牢性をより高めることができる。
【００１４】
本発明の一態様における椅子において、前記支持構造体は、前記椅子の幅方向に離間する一対の脚体と、離間した一対の前記脚体どうしを前記幅方向に連結する連結部材と、を備え、各脚体は、前記第１のフレーム部材の前記下端部を支持する前脚と、前記第２のフレーム部材の前記下端部を支持する後脚と、を有しており、前記幅方向における前記連結部材の両端部が前記空間内にそれぞれ位置している構成としてもよい。
【００１５】
この構成によれば、第１のフレーム部材および第２のフレーム部材における互いに離間した下端部どうしの間に形成される空間に連結部材の両端部が配置されているので、背凭れの堅牢性を高める構造としたことで形成される空間を利用して、支持構造体自体の堅牢性も高めることができる。
【００１６】
本発明の一態様における椅子において、前記脚体は、前記第１のフレーム部材および前記第２のフレーム部材の各下端部をそれぞれ支持する一対の被支持部を有している構成としてもよい。
【００１７】
この構成によれば、各フレーム部材の下端部を被支持部においてより安定的に支持することができる。
【００１８】
本発明の一態様における椅子において、前記第２のフレーム部材は、前記第１のフレーム部材よりも前記椅子の幅方向内側に位置している構成としてもよい。
【００１９】
この構成によれば、第１のフレーム部材の後方および幅方向内側に位置する第２のフレーム部材によって、背凭れにかかる後方への荷重だけでなく左右方向にかかる荷重に対しても堅牢に抗することができる。
【発明の効果】
【００２０】
本発明によれば、背凭れが支持構造体に支持されている椅子において、背凭れから入力される荷重を、支持構造体と背凭れとの連結部位において堅牢に支持することのできる椅子を提供することができる。
【図面の簡単な説明】
【００２１】
【図１】図１は、本発明の一実施形態における椅子を前外側から見た斜視図である。
【図２】図２は、椅子を側方側から見た図である。
【図３】図３は、椅子の骨組み構造を示す斜視図である。
【図４】図４は、椅子の構成を示す分解斜視図である。
【図５】図５は、椅子を幅方向に複数並べた状態を示す前面図である。
【図６】図６は、脚体と枢軸との連結部分の構造を拡大して示す斜視図である。
【発明を実施するための形態】
【００２２】
以下、添付図面を参照して、本発明による椅子を実施するための形態を説明する。しかし、本発明はこの実施形態のみに限定されるものではない。なお、以下の各図面においては、各構成要素を見やすくするため、構成要素によって寸法の縮尺を異ならせて示すことがある。
【００２３】
以下の説明においては、前後上下左右等の向きは、特に記載がなければ、水平な床面（椅子設置面）Ｆ上に設置した状態の椅子１に、正規姿勢で着座した着座者の正面側を「前」、その逆側を「後」とし、上下左右も着座者から見た向きと同一とする。着座者が正規姿勢で着座したとき、椅子１の座３は後述する使用位置Ｐ１にあり、特に記載がなければ、座３の説明で用いる向きは使用位置Ｐ１での向きと同一とする。図中において、矢印ＵＰは上方を示し、矢印ＦＲは前方を示し、矢印ＬＨは左方を示す。
【００２４】
＜椅子全体＞
図１は、本発明の一実施形態における椅子を前外側から見た斜視図である。図２は、椅子を側方側から見た図である。図３は、椅子の骨組み構造を示す斜視図である。図４は、椅子の構成を示す分解斜視図である。
【００２５】
図１、図２に示すように、本実施形態の椅子１は、座面３ａを形成する座３を、座面３ａを上方に向けた使用位置（着座位置、図１参照）Ｐ１と、使用位置Ｐ１に対して前端部を上方に移動させた跳ね上げ位置（格納位置、図２参照）Ｐ２と、の間で回動可能とした、座跳ね上げ式の椅子１である。
【００２６】
図１〜図３に示すように、椅子１は、座３と、座３の後方に位置し着座者の背中を受ける背凭れ４と、座３および背凭れ４を支持する支持構造体７と、支持構造体７に支持されるとともに座３を回動させる座回動機構１５と、を備えている。
【００２７】
支持構造体７は、左右方向（椅子１の幅方向）に離間して配置される左右一対の脚体２を備えている。以下の説明において、左右一対の脚体２を左右脚体２と言うことがある。座３および座回動機構１５は左右脚体２の間に配置されている。背凭れ４は、座３の後方で左右脚体２の間に配置されている。
【００２８】
＜支持構造体＞
図１に示すように、支持構造体７は、座３および背凭れ４を支持する。支持構造体７は、椅子１の幅方向に離間する一対の脚体２と、これら一対の脚体２どうしを幅方向に連結する枢軸（連結部材）６１と、枢軸６１の軸方向両側に取り付けられる枢軸支持体６２と、を備えている。
【００２９】
図１〜図３に示すように、左右脚体２は、接地面Ｆに設置される。左右脚体２の各々は、脚構成部２０１と、肘掛５を構成する連結杆部３０とを有している。
脚構成部２０１は、互いに前後方向に離間して上下方向に延びる前脚２０および後脚２５と、これらを連結する支持部材３５と、を備えている。
【００３０】
前脚２０および後脚２５は、各々の上下中間部の間に設けられた上記支持部材３５を介して互いに連結されている。本願における「中間」とは、対象部品の両端間の中央に限らず、両端間の内側にある部位を含む。椅子１が接地面Ｆ上に起立するとき、椅子１の前後方向は椅子１の奥行方向となる。前後方向前側は奥行方向手前側に相当し、前後方向後側は奥行方向奥側に相当する。
【００３１】
左右脚体２のそれぞれに設けられた左右支持部材３５は、座３の左右側部および背凭れ４の左右側部をそれぞれ支持する部材である。左右支持部材３５は、使用位置Ｐ１における座３の前端部（図２の前端位置Ｐ３参照）よりも後方に位置し、座３の前端部側を跳ね上げ可能とするべく座３を回動可能に支持している。左右支持部材３５は、座３の後端部（図２の後端位置Ｐ４参照）よりも前方に位置している。
【００３２】
また、左右支持部材３５および座３の回動中心軸線Ｃ１は、座３の前後方向中央よりも後方に位置している。左右支持部材３５は、使用位置Ｐ１にある座３の座面３ａ（図１）よりも下方に位置している。
【００３３】
図５は、椅子を幅方向に複数並べた状態を示す前面図である。
図１〜図３に示すように、左右支持部材３５の幅方向外側には、幅方向に並ぶ椅子１どうしを連結可能とする連結機構１７が設けられている。連結機構１７は、図５に示すように、幅方向一側（着座者の右側）に設けられる第１連結部材１８と、幅方向他側（着座者の左左側）に設けられる第２連結部材１９と、を備えている。
【００３４】
第１連結部材１８は、図５に示すように、右側支持部材３５の外側部中央から幅方向外側に突出する凸部１８ｂと、凸部１８ｂの外側に設けられた係合部１８ａと、からなる。
第２連結部材１９は、図３に示すように、左側支持部材３５の外側部中央から幅方向外側に突出する凹部１９ｂと、凹部１９ｂの外側に設けられた被係合部１９ａとからなる。凹部１９ｂの形状は、凸部１８ｂの形状に対応する。
【００３５】
図５に示すように、凸部１８ｂは、隣り合う他の椅子１の凹部１９ｂに挿入され、係合部１８ａが被係合部１９ａに係合することで、第１連結部材１８と第２連結部材１９とが接続されて、椅子１どうしの水平移動での離脱を規制する。第１連結部材１８および第２連結部材１９の各々は、例えばポリアセタール等の合成樹脂材料により一体形成されている。
【００３６】
このような連結機構１７により、例えば劇場、ホールの空きスペースおよび体育館等において、左右方向で隣り合う椅子１どうしを連結した状態で接地面Ｆ上の規定箇所に設置することができる。
【００３７】
図３、図４に示すように、前脚２０および後脚２５は、互いに椅子１の前後方向に離間して上下方向に延びている。前脚２０および後脚２５は、それぞれ長さ方向に直交する断面で矩形状（長方形状）の断面形状を有する脚杆を構成している。前脚２０および後脚２５の上端部は、座３よりも上方に延びており、連結杆部３０により互いに連結されている。連結杆部３０は、肘掛け５を構成している。
【００３８】
例えば、連結杆部３０は、前脚２０および後脚２５の連結杆部３０近傍の部位とともに、アルミダイキャスト等により一体成型されている。前脚２０および後脚２５の残余の部位は、例えば角形鋼管に曲げ加工を施して形成されている。
【００３９】
図３に示すように、前脚２０の鋼管部分２Ｂの上下方向中間部に位置する下傾斜部２３ｂと、後脚２５の鋼管部分２Ｃの上部とは、支持部材３５を介して互いに連結されている。
図４に示すように、支持部材３５は、幅方向と直交する板状をなし、前後方向視で前脚２０と重なるように配置される側壁部３６と、側壁部３６の後縁部から幅方向内側に突出する後壁部３７と、側壁部３６の内側中央部に位置するとともに幅方向内側に突出する筒状の枢軸支持部３２と、を備えている。
【００４０】
さらに支持部材３５は、背凭れ４の背凭れ支持フレーム８を支持する前下締結部３８および後下締結部３９を備えている。
前下締結部３８は、前脚２０よりも後方であるとともに支持部材３５の枢軸支持部３２の前方に隣接し、側壁部３６に対して垂直に設けられている。前下締結部３８は、背凭れ支持フレーム８を構成する背フレーム本体（第１のフレーム部材）８ａの傾斜に沿って上側が後傾しており、前脚２０の側面よりも幅方向内側に位置する前面の全体が背フレーム本体８ａの前下締結プレート８ａ１に対向している。これら左右の前下締結部３８によって、背フレーム本体８ａの各下端部８ａ３が、左右脚体２の幅方向内側においてそれぞれ支持されている。
【００４１】
後下締結部３９は、後脚２５の側面から幅方向内側に向けて突出しており、上記前下締結部３８よりもさらに幅方向内側に位置している。後下締結部３９は、背凭れ支持フレーム８を構成するサポートフレーム（第２のフレーム部材）８ｂの傾斜に沿って上側が前傾しており、その後面全体がサポートフレーム８ｂの後下締結プレート８ｂ１の前面に対向している。
【００４２】
これら一対の前下締結部３８および後下締結部３９によって、背フレーム本体８ａおよびサポートフレーム８ｂの各下端部８ａ３，８ｂ３が、脚体２の前後異なる位置にそれぞれ支持されることで、背凭れ支持フレーム８と支持構造体７との締結部分に集中する荷重を、支持構造体７の前後に分散させることができる。
【００４３】
支持部材３５は、例えば、前脚２０および後脚２５に対して溶接により設けられている。具体的に、側壁部３６の前縁部は、前脚２０の上下中間部の後面側に溶接等により結合され、前脚２０に支持されている。後壁部３７の内側縁部は、後脚２５の上下中間部の前縁部に溶接等により結合され、後脚２５に支持されている。
【００４４】
図１〜図４を参照し、前脚２０および後脚２５は、少なくとも支持部材３５および座３よりも下方において、互いに前後方向に離間した杆状をなしている。前脚２０および後脚２５の各々の下端側の接地端部２１，２６は、それぞれ接地面Ｆに当接する部分である。前脚２０は、図２に示すように、使用位置Ｐ１にある座３の前端位置Ｐ３と、回動中心軸線Ｃ１との間に位置している。前脚２０の接地端部２１は、できるだけ前方に接地位置を設けるために、接地面Ｆに沿って前方に延びている。
【００４５】
前脚２０は、接地端部２１の後端部２１ｂから上方へ鉛直方向に沿って延びる前脚鉛直杆部２３を備えている。前脚２０における接地端部２１および前脚鉛直杆部２３を含む部位は、図２に示す側面視でＬ字状に形成されている。前脚２０の接地端部２１に至る部位を前脚鉛直杆部２３としたので、図２に示すように、使用していない座３が跳ね上げ位置Ｐ２にある収納状態において、収納時の座３の裏面３Ｂと前後方向で同等あるいは若干前方となる位置に前脚鉛直杆部２３が位置することとなり、椅子１の前方に広さを確保することができる。これにより、着座者の下肢が動く領域から前脚２０が退避し、椅子１の前方を歩行しやすくなる。
【００４６】
図２を参照し、後脚２５は、支持部材３５を結合する上下中間部から下後方へ、側面視で傾斜して直線状に延びている。後脚２５の下端側の接地端部２６は、使用位置Ｐ１にある座３の後端位置Ｐ４よりも後方の領域に配置されている。後脚２５の接地端部２６は、後傾する背凭れ４の上後端位置Ｐ５と同等の前後方向位置に配置されている。
【００４７】
左右肘掛け５は、例えば連結杆部３０により構成されている。連結杆部３０の上面は、着座者の前腕を載せる肘載せ面５ａを形成している。左右肘掛け５は、それぞれ同側の支持部材３５の上方に離間して配置されている。これにより、左右肘掛け５の下方に空間が形成され、椅子１を運搬する際等に作業者が肘掛け５を把持しやすい。また、脚体２の軽量化も図られる。
【００４８】
左右肘掛け５は、左右連結杆部３０に装着されるパッド部材等を含んでもよい。連結杆部３０を含む成型部分２Ａは、アルミ合金等の金属材料に限らず、合成樹脂材料で形成してもよい。
【００４９】
枢軸６１は、図３、図４に示すように、左右脚体２よりも幅方向内側に配置され、軸線Ｃ１を軸中心とし、幅方向に沿って直線状に延びている。枢軸６１は、幅方向に離間して配置された左右脚体２どうしを連結する。枢軸６１の両端側は、後述する背凭れ支持フレーム８における左右空間Ｋ１内にそれぞれ位置しており、後述する枢軸支持体６２を介して左右連結杆部３０に接続されている。枢軸６１は、長さ方向両端側にそれぞれ設けられた固定プレート５１を介して、枢軸支持体６２に固定されている。
【００５０】
枢軸６１は、両端側に設けられた各枢軸支持体６２を介して、左右脚体２における各支持部材３５の内側にそれぞれ取り付けられている。枢軸支持体６２は、支持部材３５の側壁部３６の内面側に対してボルト等を用いて固定されている。枢軸支持体６２は、軸線Ｃ１を中心とした有底円筒状をなす支持本体６２Ａを有し、支持本体６２Ａの一端側が幅方向内側（左側座回動機構１５）に向けて開放するように配置されている。
【００５１】
枢軸支持体６２は、支持本体６２Ａの外周面から前方に突出するように屈曲形成された前方締結部６２Ｂを有している。前方締結部６２Ｂは、支持部材３５の前下締結部３８に対して所定の間隔をおいて対向し、前下締結部３８との間に形成される隙間に背フレーム本体８ａの下端部８ａ３が挿入された状態で組み立てられる。
【００５２】
枢軸６１の端部は、固定プレート５１を枢軸支持体６２内に挿入させた状態で、枢軸支持体６２に対し、例えばボルト等を用いて固定的に支持されている。
【００５３】
図６は、脚体と枢軸との連結部分の構造を拡大して示す斜視図である。
具体的に枢軸支持体６２は、図４、図６に示すように、支持本体６２Ａの幅方向外側の端部から径方向に張り出すとともに軸回りに等間隔に配置された３つの固定部６２Ｃ（図４では２つのみ図示）を有しており、各固定部６２Ｃのボルト挿入穴に挿入されるボルト６２ｂを介して支持部材３５にねじ止めされている。枢軸支持体６２により、支持部材３５に対する枢軸６１の接触面積が増えるので、枢軸６１を左右脚体２に対して安定して取り付けることができる。
【００５４】
枢軸６１における枢軸支持体６２よりも幅方向内側の部位には、軸方向視半円状の第１ギア６４が固定されている。第１ギア６４は、半円状の外周部に軸線Ｃ１を中心とするギア部を形成している。第１ギア６４の軸方向視平面側には、当該第１ギア６４の逆回転を阻止する平板状の抑え部材６４Ａが取り付けられており、内側に枢軸６１が挿通された状態で半円状のギア部６４ａの両端を連結している。
【００５５】
＜背凭れ＞
図１〜図４に示すように、背凭れ４は、座３の後方で後上方に向けて傾斜し、着座者の背中を受けて後方から支える。背凭れ４は、下部側ほど後方に凸の湾曲形状をなしている。背凭れ４の下部の湾曲形状は、着座者の腰部の湾曲に沿うように形成されており、着座者の腰部のサポート性を高めている。背凭れ４の下部は、左右脚体２の前後異なる位置にそれぞれ固定されて支持されている。
【００５６】
背凭れ４は、支持構造体７に支持される背凭れ支持フレーム８（図３）と、背凭れ支持フレーム８に支持され、着座者の背中を受ける張材（背当部材）９と、背凭れ支持フレーム８に支持される背板１０（図３）と、を備えている。
【００５７】
背凭れ４は、図４に示す背凭れ支持フレーム８に、図１に示すメッシュ状の張材９を張設して構成され、張材９の前面側に背当面４ａが形成されている。背板１０は、背凭れ支持フレーム８の内側に取り付けられ、背凭れ支持フレーム８とともに張材９によって覆われる。
【００５８】
図３、図４に示すように、背凭れ支持フレーム８は、前後方向視で下方に開放するＵ字状の背フレーム本体（第１のフレーム部材）８ａと、背フレーム本体８ａの左右辺の下部を下後方から支持する左右一対のサポートフレーム（第２のフレーム部材）８ｂと、左右サポートフレーム８ｂの下端部どうしのを連結する連結フレーム８ｃと、を備えている。背フレーム本体８ａ、左右サポートフレーム８ｂおよび連結フレーム８ｃの各々は、例えば円形鋼管に曲げ加工を施して形成されている。
【００５９】
背フレーム本体８ａは、背凭れ４の後傾角度に沿って上下方向に長さを有し、起立している。Ｕ字状をなす背フレーム本体８ａは、左右に離間した一対の側部８Ａ１と、これら側部８Ａ１の上部どうしを連結する上部連結部８Ａ２と、を有している。背フレーム本体８ａは、上部連結部８Ａ２側の方が下端部８ａ３よりも後方に位置するように傾斜している。
【００６０】
背フレーム本体８ａに対する左右サポートフレーム８ｂの並び位置は、背凭れ４の湾曲形状に沿っている。本実施形態において、左右サポートフレーム８ｂの各々は、椅子１の前後方向において背フレーム本体８ａよりも後方に位置するとともに、幅方向内側で隣り合う状態で背フレーム本体８ａに対して固定されている。
【００６１】
左右サポートフレーム８ｂの各々は、背フレーム本体８ａの側部８Ａ１と隣り合うとともに側部８Ａ１に沿って上下方向に延在する上傾斜部（延在部）８Ｂ１と、上傾斜部８Ｂ１の下部から屈曲部ｑを経て下後方へ傾斜する下傾斜部８Ｂ２と、を有している。上述したように、サポートフレーム８ｂの下傾斜部８Ｂ２は、上傾斜部８Ｂ１に対して所定の角度で傾斜しており、背フレーム本体８ａの下端部８ａ３から後方へ向かって離間している。
【００６２】
一方、上傾斜部８Ｂ１は、その少なくとも一部が、背フレーム本体８ａの側部８Ａ１に対して溶接等により結合されている。上述したように、背フレーム本体８ａおよび左右サポートフレーム８ｂのそれぞれの下端部８ａ３，８ｂ３は、互いに前後方向（椅子１の奥行方向）に離間しており、これらの間に形成される空間Ｋ１（図４）よりも上方において、上傾斜部８Ｂ１の全体あるいはその一部が背フレーム本体８ａに溶接されて固定されている。下傾斜部８Ｂ２の下端部８ｂ３は、背フレーム本体８ａに対して固定されている部位よりも後方に位置するように傾斜している。これにより、背フレーム本体８ａに対する左右サポートフレーム８ｂによるサポート力を得ることができる。
【００６３】
本実施形態では、例えば、左右サポートフレーム８ｂにおける上傾斜部８Ｂ１の長さは下傾斜部８Ｂ２の長さよりも大であり、上傾斜部８Ｂ１をその長さ方向全体にわたって背フレーム本体８ａに固定しておくことで、背フレーム本体８ａに対する左右サポートフレーム８ｂのサポート力をより高めることができ、背フレーム本体８ａにかかる着座者からの荷重を支えることができる。また、背凭れ支持フレーム８に対して左右サポートフレーム８ｂが補助的な支持部材として機能し、それぞれの軸方向の力で背凭れ支持フレーム８を突っ張るように支持することができる。
【００６４】
連結フレーム８ｃは、図２に示すように、背フレーム本体８ａよりも後方に倒れた傾斜姿勢をなし、図３、図４に示すように前方に開放するＵ字状に形成されている。連結フレーム８ｃは、左右に離間した前端部８Ｃ１と、これらを連結する連結部８Ｃ２と、を有している。連結フレーム８ｃの左右の前端部８Ｃ１は、左右サポートフレーム８ｂの下傾斜部８Ｂ２の下端部８ｂ３に溶接等により結合されている。連結フレーム８ｃの連結部８Ｃ２は、背凭れ４の下端部の湾曲形状に沿うように後方へ湾曲している。
【００６５】
このような背凭れ支持フレーム８は、支持構造体７に支持されている。背凭れ支持フレーム８は、背フレーム本体８ａおよび左右サポートフレーム８ｂの各下端部８ａ３，８ｂ３が、左右脚体２の各支持部材３５にそれぞれ固定されて支持されている。
具体的に、背フレーム本体８ａの左右の下端部８ａ３には、前下締結プレート８ａ１が溶接等により固定されている。前下締結プレート８ａ１は、組み立て時に、左右脚体２の支持部材３５の前側に設けられた前下締結部（被支持部）３８に対向する部位であって、前下締結部３８に対し、前上方から斜めに螺着されたボルト８ａ２により締結固定されている。
【００６６】
左右サポートフレーム８ｂの下傾斜部８Ｂ２における下端部８ｂ３には、後下締結プレート８ｂ１が溶接等により固定されている。後下締結プレート８ｂ１は、組み立て時に、左右脚体２の支持部材３５に設けられた後下締結部（被支持部）３９に対向する部位であって、支持部材３５の内面３５ｂ側から幅方向内側に突出する後下締結部３９に対して、後上方から斜めに螺着されたボルト８ｂ２により締結固定されている。
【００６７】
このような背凭れ支持フレーム８は、左右に跨る背フレーム本体８ａおよび連結フレーム８ｃにより、左右脚体２どうしを連結する連結部材としても機能する。
【００６８】
背板１０は、背フレーム本体８ａによって囲まれた領域内に配置された板状部材からなり、連結フレーム８ｃの湾曲形状、つまり背凭れ４の下端部の湾曲形状に沿うように後方へ湾曲している。背板１０は、左右の側部中央に設けられた各係合部１０ａが、左右サポートフレーム８ｂの上端部に係合されているとともに、下端側に設けられた複数の連結部１０ｂに挿入されるばねによって、連結フレーム８ｃに固定されている。
【００６９】
座支持部材６５は、座３に対して座支持部材６５を固定するための固定部７６，７７を有している。第１固定部７６は、反力調整機構収容部６５ｃにおける幅方向内側の側壁部６５ｆの後方側に位置し、当該側壁部６５ｆよりも幅方向内側（他方の座支持部材６５側）に向かって延出するとともに中央にボルト挿通孔７８を有した矩形板状をなす。第２固定部７７は、反力調整機構収容部６５ｃとフレーム延出部６５ｂとの境界付近であって、フレーム延出部６５ｂと幅方向内側で隣り合う位置に設けられ、中央にボルト挿通孔７８を有している。
【００７０】
以上説明したように、上記実施形態における椅子１は、座３を使用位置Ｐ１から跳ね上げ位置まで跳ね上げ可能な椅子であって、背凭れ４を構成する背凭れ支持フレーム８の背フレーム本体８ａおよび左右サポートフレーム８ｂのそれぞれの下端部８ａ３、８ｂ３が、支持構造体７の前後異なる位置に連結されて支持されている。
【００７１】
この構成により、背凭れ４と支持構造体７との連結部位に集中しやすい着座者からの荷重を椅子１の前後方向に分散させることができるので、支持構造体７への負担が軽減されて支持構造体７による堅牢な支持を実現できる。
【００７２】
また、背凭れ４の背フレーム本体８ａおよび左右サポートフレーム８ｂは、前後方向で互いに相反する方向に傾斜しており、前後に離間した下端部８ａ３、８ｂ３どうしの間に形成される空間Ｋ１よりも上方において、左右サポートフレーム８ｂの上傾斜部８Ｂ１が背フレーム本体８ａに固定されている。これにより、背フレーム本体８ａの後方側から左右サポートフレーム８ｂが補助的な支持部材として各サポートフレーム８ｂの軸方向の力によって突っ張るように支持することで、背フレーム本体８ａを支える構造となっている。また、左右サポートフレーム８ｂの上傾斜部８Ｂ１が背フレーム本体８ａに沿って延在しているため、この延在した部分によって背フレーム本体８ａを面で支えることができる。このため、背凭れ４がより堅牢な構造となり、背凭れ４にかかる着座者からの荷重をしっかり受け止めることができる。
【００７３】
また、サポートフレーム８ｂは、背フレーム本体８ａの後方であって背フレーム本体８ａよりも椅子１の幅方向内側に位置しており、背凭れ４の湾曲に沿った位置関係となっている。これにより、背凭れ４の後方への荷重だけでなく左右方向にかかる荷重に対しても堅牢に抗することができ、着座者の背中を安定して支持することができる。
【００７４】
また、左右脚体２は、背フレーム本体８ａおよびサポートフレーム８ｂの各下端部８ａ３，８ｂ３側をそれぞれ支持する一対の前下締結部３８および後下締結部３９を有しており、これら各締結部３８，３９により上記下端部８ａ３、８ｂ３を安定して支持することができる。また、これら一対の締結部３８，３９は、枢軸６１を介して支持構造体７の前後異なる位置に設けられていることから、背凭れ支持フレーム８と支持構造体７との締結部分に集中する荷重を支持構造体７の前後に分散させることができる。このため、背凭れ４にかかる着座者からの荷重に対する支持構造体７への負荷を軽くすることができ、全体的により堅牢な構造の椅子１を提供することができる。
【００７５】
また、着座荷重を受ける座３は、左右座支持部材６５が取り付けられた枢軸６１を介して左右脚体２に支持されている。枢軸６１は、両側の端部がそれぞれ各脚体２に存在する左右空間Ｋ１内に位置した状態で各支持部材３５に固定されている。このため、枢軸６１に取り付けられる左右座支持部材６５が、枢軸６１の両端よりも幅方向内側であって各支持部材３５との連結部位から離れたところに位置するので、枢軸６１にかかる座３からの荷重を軸方向全体に分散させることができる。
【００７６】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００７７】
例えば、上記実施形態の構成に限られず、第１のフレーム部材および前記第２のフレーム部材のうち少なくとも一方が椅子１の前後方向に傾斜した構成としてもよく、背フレーム本体８ａに対して左右サポートフレーム８ｂが補助的な支持部材として各々の軸方向の力によって突っ張るように支持することで、より堅牢な背凭れを得ることができる。
【００７８】
例えば、上記実施形態では、渦巻ばね６６の付勢力によって座３を上方へ回動させる跳ね上げ式の椅子の構成について述べたが、これに限られず、ばねを用いずに手動で座を回動させるタイプの椅子であってもよい。
【００７９】
また、座回動機構１５は上述した構成に限られず、他の付勢手段を用いてもよい。
例えば、渦巻ばね６６に代えて、ねじりコイルばね、圧縮ばね、引っ張りばねのいずれかを採用してもよいし、圧縮ばねと傾斜カムを組み合わせてもよい。
【００８０】
また、一対の座支持部材６５のそれぞれに座回動機構１５を設けた構成となっているが、いずれか一方の座支持部材６５にのみ座回動機構１５を設けた構成としてもよい。
【００８１】
また、支持構造体７が枢軸支持体６２を備えていなくてもよく、例えば、枢軸６１の内周空間における幅方向の両端部の近傍に、予め溶着等の手段によってねじ座をそれぞれ固着させておき、これらねじ座を介して枢軸６１を左右脚部２に連結した構成としてもよい。
【００８２】
また、上述した実施形態では、背凭れ支持フレーム８が左右枢軸支持体６２を介して左右脚部２に連結された構成となっているが、これに限られず、例えば、背凭れ支持フレーム８が左右脚部２における左右前脚２０および左右後脚２５に支持されていてもよい。具体的には、背凭れ支持フレーム８の背フレーム本体８ａが左右前脚２０に連結され、左右サポートフレーム８ｂが左右後脚２５に連結されていてもよい。
【００８３】
また、上述した実施形態では、左右サポートフレーム８ｂが背凭れ支持フレーム８よりも後方に位置しているが、背凭れ支持フレーム８よりも前方に位置する構成であってもよい。
【符号の説明】
【００８４】
１…椅子、２…脚体、３…座、７…支持構造体、８…支持フレーム、８ａ…背フレーム本体（第１のフレーム部材）、８ｂ…サポートフレーム（第２のフレーム部材）、９…張材（背当部材）、２０…前脚、２５…後脚、３８…前下締結部（被支持部）、３９…後下締結部（被支持部）、６１…枢軸（連結部材）、８Ｂ１…上傾斜部（延在部）、８Ｂ２…下傾斜部、８ａ３，８ｂ３…下端部、Ｋ１…空間、Ｐ２…跳ね上げ位置
【図１】
2020130964.tif 000003
【図２】
2020130964.tif 000004
【図３】
2020130964.tif 000005
【図４】
2020130964.tif 000006
【図５】
2020130964.tif 000007
【図６】
2020130964.tif 000008